(57)【要約】  タービンシュラウドブロック取り外し装置。一実施形態において、装置は、第１のアーマチャを備える第１のベース板を備える。第１のベース板を、第１のシュラウドブロックに着脱可能に接続することができる。装置は、第２のアーマチャを備える第２のベース板をさらに備える。第２のベース板を、第１のシュラウドブロックに隣接して位置する第２のシュラウドブロックに着脱可能に接続することができる。さらに、装置は、第１のベース板の第１のアーマチャおよび第２のベース板の第２のアーマチャへと接続されるアクチュエータを備えることができる。アクチュエータは、第１のシュラウドブロックと第２のシュラウドブロックとの間の距離を変化させることができる。【選択図】図３
2017500476.tif 000002
【特許請求の範囲】
【請求項１】
第１のアーマチャ（２０６）を備えており、第１のシュラウドブロック（１１８ａ）に着脱可能に接続される第１のベース板（２０２）と、
第２のアーマチャ（２１８）を備えており、前記第１のシュラウドブロック（１１８ａ）に隣接する第２のシュラウドブロック（１１８ｂ）に着脱可能に接続される第２のベース板（２０４）と、
前記第１のベース板（２０２）の前記第１のアーマチャ（２０６）および前記第２のベース板（２０４）の前記第２のアーマチャ（２１８）へと接続され、前記第１のシュラウドブロック（１１８ａ）と前記第２のシュラウドブロック（１１８ｂ）との間の距離（Ｄ）を変化させるアクチュエータ（２１２）と
を備える装置（２００、３００）。
【請求項２】
前記第１のシュラウドブロック（１１８ａ）は、前記第１のシュラウドブロック（１１８ａ）の側面（１３２）を貫いて延びる少なくとも１つの穴（１３０）を備え、
前記第２のシュラウドブロック（１１８ｂ）は、前記第２のシュラウドブロック（１１８ｂ）の側面（１３２）を貫いて延びる少なくとも１つの穴（１３０）を備える、請求項１に記載の装置（２００、３００）。
【請求項３】
前記第１のシュラウドブロック（１１８ａ）の前記側面（１３２）は、前記第２のシュラウドブロック（１１８ｂ）の前記側面（１３２）に隣接して位置する、請求項２に記載の装置（２００、３００）。
【請求項４】
前記第１のベース板（２０２）は、少なくとも１つの開口（２１４）を備え、前記第１のベース板（２０２）の前記少なくとも１つの開口（２１４）および前記第１のシュラウドブロック（１１８ａ）の前記少なくとも１つの穴（１３０）は、前記第１のベース板（２０２）を前記第１のシュラウドブロック（１１８ａ）へと着脱可能に接続するための着脱可能な固定具（２１６）と係合するように構成されている、請求項２に記載の装置（２００、３００）。
【請求項５】
前記第２のベース板（２０４）は、少なくとも１つの開口（２２４）を備え、前記第２のベース板（２０４）の前記少なくとも１つの開口（２２４）および前記第２のシュラウドブロック（１１８ｂ）の前記少なくとも１つの穴（１３０）は、前記第２のベース板（２０４）を前記第２のシュラウドブロック（１１８ｂ）へと着脱可能に接続するための着脱可能な固定具（２１６）と係合するように構成されている、請求項２に記載の装置（２００、３００）。
【請求項６】
前記アクチュエータ（２１２）は、
前記第１のシュラウドブロック（１１８ａ）の前記側面（１３２）に隣接かつ前記第２のシュラウドブロック（１１８ｂ）の前記側面（１３２）に隣接、または
前記第１のシュラウドブロック（１１８ａ）の上面（１３４）に隣接かつ前記第２のシュラウドブロック（１１８ｂ）の上面（１３４）に隣接
の一方にて配置される、請求項２に記載の装置（２００、３００）。
【請求項７】
前記アクチュエータ（２１２）は、空気圧式アクチュエータ、電気式アクチュエータ、機械式アクチュエータ、または油圧式アクチュエータのうちの１つを含む、請求項１に記載の装置（２００、３００）。
【請求項８】
前記第１のベース板（２０２）または前記第２のベース板（２０４）の少なくとも一方に接続されたアイボルト（２４４）をさらに備える、請求項１に記載の装置（２００、３００）。
【請求項９】
前記アクチュエータ（２１２）を前記第１のベース板（２０２）の前記第１のアーマチャ（２０６）へと接続するための第１のピン（２３０）と、
前記アクチュエータ（２１２）を前記第１のベース板（２０２）の前記第１のアーマチャ（２０６）に対向する前記第２のベース板（２０４）の前記第２のアーマチャ（２１８）へと接続するための第２のピン（２４０）と
をさらに備える、請求項１に記載の装置（２００、３００）。
【請求項１０】
前記第１のピン（２３０）は、前記第１のベース板（２０２）の前記第１のアーマチャ（２０６）の一部分を貫いて延びる、請求項９に記載の装置（２００、３００）。
【請求項１１】
前記第２のピン（２４０）は、前記第２のベース板（２０４）の前記第２のアーマチャ（２１８）の一部分を貫いて延びる、請求項９に記載の装置（２００、３００）。
【請求項１２】
前記第１のベース板（２０２）は、前記第１のシュラウドブロック（１１８ａ）と前記第２のシュラウドブロック（１１８ｂ）との間の距離（Ｄ）を変化させる際に実質的に不動である、請求項１に記載の装置（２００、３００）。
【請求項１３】
前記第１のシュラウドブロック（１１８ａ）は、タービンケーシング（１１６）へと接続され、前記第２のシュラウドブロック（１１８ｂ）は、前記第１のシュラウドブロック（１１８ａ）に隣接して前記タービンケーシング（１１６）へと接続される、請求項１に記載の装置（２００、３００）。
【請求項１４】
前記タービンケーシング（１１６）へと接続された少なくとも１つの追加のシュラウドブロック（１１８ｃ）をさらに備えており、前記少なくとも１つの追加のシュラウドブロック（１１８ｃ）は、前記第１のシュラウドブロック（１１８ａ）に隣接して前記第２のシュラウドブロック（１１８ｂ）の反対側に位置している、請求項１３に記載の装置（２００、３００）。
【請求項１５】
前記少なくとも１つの追加のシュラウドブロック（１１８ｃ）は、前記第１のシュラウドブロック（１１８ａ）と前記第２のシュラウドブロック（１１８ｂ）との間の距離（Ｄ）を変化させる際に実質的に不動である、請求項１４に記載の装置（２００、３００）。
【請求項１６】
第１のアーマチャ（２０６）を備えており、第１のシュラウドブロック（１１８ａ）に着脱可能に接続される第１のベース板（２０２）と、
第２のアーマチャ（２１８）を備えており、前記第１のシュラウドブロック（１１８ａ）に隣接する第２のシュラウドブロック（１１８ｂ）に着脱可能に接続される第２のベース板（２０４）と、
前記第１のベース板（２０２）の前記第１のアーマチャ（２０６）および前記第２のベース板（２０４）の前記第２のアーマチャ（２１８）へと接続され、前記第１のシュラウドブロック（１１８ａ）と前記第２のシュラウドブロック（１１８ｂ）との間の距離（Ｄ）を変化させるアクチュエータ（２１２）と
を備えており、
前記アクチュエータ（２１２）は、前記第１のシュラウドブロック（１１８ａ）の側面（１３２）に隣接かつ前記第２のシュラウドブロック（１１８ｂ）の側面（１３２）に隣接して配置される、装置（２００）。
【請求項１７】
第１のアーマチャ（２０６）を備えており、第１のシュラウドブロック（１１８ａ）に着脱可能に接続される第１のベース板（２０２）と、
第２のアーマチャ（２１８）を備えており、前記第１のシュラウドブロック（１１８ａ）に隣接する第２のシュラウドブロック（１１８ｂ）に着脱可能に接続される第２のベース板（２０４）と、
前記第１のベース板（２０２）の前記第１のアーマチャ（２０６）および前記第２のベース板（２０４）の前記第２のアーマチャ（２１８）へと接続され、前記第１のシュラウドブロック（１１８ａ）と前記第２のシュラウドブロック（１１８ｂ）との間の距離（Ｄ）を変化させるアクチュエータ（２１２）と
を備えており、
前記アクチュエータ（２１２）は、前記第１のシュラウドブロック（１１８ａ）の上面（１３４）に隣接かつ前記第２のシュラウドブロック（１１８ｂ）の上面（１３４）に隣接して配置される、装置（３００）。
【発明の詳細な説明】
【技術分野】
【０００１】
本発明は、広くには、タービンシステムに関する。より詳しくは、本発明は、タービンシュラウドブロック取り外し装置に関する。
【背景技術】
【０００２】
ガスタービンシステムなどの従来からのターボ機械が、発電機のための動力を生み出すために利用されている。一般に、ガスタービンシステムは、ガスタービンシステムの圧縮機およびタービン構成部品に流体（例えば、高温ガス）を通すことによって動力を生み出す。より具体的には、吸気を圧縮機へと引き込み、圧縮することができる。ひとたび圧縮されると、吸気は、燃焼物を形成すべく燃料と混合され、ガスタービンシステムの燃焼器によって燃焼物に点火し、ガスタービンシステムの作動流体（例えば、高温ガス）を形成することができる。次いで、流体は、流体流路を通って流れてタービン構成部品の複数の回転バケットおよびシャフトを回転させ、動力を生み出すことができる。流体を、複数の回転バケットおよび回転バケットの間に位置する複数の固定ノズルを介し、タービン構成部品を通って導くことができる。複数の回転バケットがガスタービンシステムのシャフトを回転させるとき、シャフトに接続された発電機が、シャフトの回転から電力を生み出すことができる。
【０００３】
従来からのガスタービンシステムは、典型的には、タービンケーシングの内側に配置された複数のシュラウドブロックを備えている。より具体的には、複数のシュラウドブロックを、タービンケーシングに結合させることができ、回転バケットの先端に隣接させ、および／またはガスタービンシステムの固定子ノズルの間に位置させることができる。シュラウドブロックは、ガスタービンシステムの回転バケットおよび固定子ノズルの種々の段を囲むことができ、稼働時にガスタービンシステムを通って流れる作動流体の外側境界を形成することができる。
【０００４】
ガスタービンシステムについて保守のプロセスが実行され、あるいはガスタービンシステムの種々の構成部品について調整が行われるとき、タービンシュラウドブロックを、典型的には、取り外すことができる。例えば、回転バケット、固定子ノズル、および／またはシュラウドブロック自身について保守が実行され、あるいは調整が行われるとき、シュラウドブロックを、典型的には、タービン運転者が特定の構成部品についてアクセス、保守、および／または調整を行うことができるように、取り外すことができる。伝統的に、シュラウドブロックは、タービン運転者によって手作業で取り外されている。より具体的には、タービン運転者が、伝統的な器具（例えば、大ハンマー、バール）を使用して各々のシュラウドブロックに大きな力を加えることによってシュラウドブロックを個別に取り外すことができる。タービン運転者は、多くの場合に、取り外しのプロセスにおいてシュラウドブロックへと加えられる力の一部を逃がすために、木材のブロックを利用することができる。しかしながら、シュラウドブロックを手作業で取り外す伝統的なプロセスは、シュラウドブロックまたはシュラウドブロックの周囲のガスタービンシステムの構成部品（例えば、回転バケット）を傷めてしまうかなり大きな危険を含んでいる。例えば、取り外しのプロセスの最中にシュラウドブロックを叩くとき、器具（例えば、ハンマー）が打撃の後に跳ね返り、取り外されるシュラウドブロックに隣接して位置する回転バケットにぶつかる可能性がある。さらに、シュラウドブロックへと直接的に加えられる力を逃がすために使用される木材のブロックが、充分な力を吸収できず、打撃されるシュラウドブロックに構造的な損傷が結局のところ生じる可能性がある。シュラウドブロックおよび／またはガスタービンシステムの構成部品の損傷の恐れに加え、伝統的な取り外しのプロセスは、時間がかかる可能性があり、ガスタービンシステムを長い時間期間にわたって完全に稼働できない状態にしておかなければならない。
【先行技術文献】
【特許文献】
【０００５】
【特許文献１】米国特許出願公開第２０１２／２０４３９８号明細書
【発明の概要】
【０００６】
タービンシュラウドブロックの取り外し装置が開示される。一実施形態において、装置は、第１のアーマチャを備えており、第１のシュラウドブロックに着脱可能に接続される第１のベース板と、第２のアーマチャを備えており、第１のシュラウドブロックに隣接する第２のシュラウドブロックに着脱可能に接続される第２のベース板と、第１のベース板の第１のアーマチャおよび第２のベース板の第２のアーマチャへと接続され、第１のシュラウドブロックと第２のシュラウドブロックとの間の距離を変化させるアクチュエータと、を備える。
【０００７】
本発明の第１の態様は、第１のアーマチャを備えており、第１のシュラウドブロックに着脱可能に接続される第１のベース板と、第２のアーマチャを備えており、第１のシュラウドブロックに隣接する第２のシュラウドブロックに着脱可能に接続される第２のベース板と、第１のベース板の第１のアーマチャおよび第２のベース板の第２のアーマチャへと接続され、第１のシュラウドブロックと第２のシュラウドブロックとの間の距離を変化させるアクチュエータと、を備えるタービンシュラウドブロック取り外し装置を含む。
【０００８】
本発明の第２の態様は、第１のアーマチャを備えており、第１のシュラウドブロックに着脱可能に接続される第１のベース板と、第２のアーマチャを備えており、第１のシュラウドブロックに隣接する第２のシュラウドブロックに着脱可能に接続される第２のベース板と、第１のベース板の第１のアーマチャおよび第２のベース板の第２のアーマチャへと接続され、第１のシュラウドブロックと第２のシュラウドブロックとの間の距離を変化させるアクチュエータと、を備えており、アクチュエータは、第１のシュラウドブロックの側面に隣接かつ第２のシュラウドブロックの側面に隣接して配置される、タービンシュラウドブロック取り外し装置を含む。
【０００９】
本発明の第３の態様は、第１のアーマチャを備えており、第１のシュラウドブロックに着脱可能に接続される第１のベース板と、第２のアーマチャを備えており、第１のシュラウドブロックに隣接する第２のシュラウドブロックに着脱可能に接続される第２のベース板と、第１のベース板の第１のアーマチャおよび第２のベース板の第２のアーマチャへと接続され、第１のシュラウドブロックと第２のシュラウドブロックとの間の距離を変化させるアクチュエータと、を備えており、アクチュエータは、第１のシュラウドブロックの上面に隣接かつ第２のシュラウドブロックの上面に隣接して配置される、タービンシュラウドブロック取り外し装置を含む。
【００１０】
本発明のこれらの特徴および他の特徴が、本発明の種々の態様の以下の詳細な説明を、本発明の種々の実施形態を示している添付の図面と併せて検討することによって、さらに容易に理解されるであろう。
【図面の簡単な説明】
【００１１】
【図１】本発明の実施形態によるタービンシステムの概略図を示している。
【図２】本発明の実施形態による図１におけるガスタービン構成部品の一部分の拡大断面図を示している。
【図３】本発明の実施形態によるタービンシュラウドブロック取り外し装置の斜視図を示している。
【図４】本発明の実施形態によるプロセス下の複数のタービンシュラウドブロックおよび図３のタービンシュラウドブロック取り外し装置を含むタービンケーシングの一部分の斜視図を示している。
【図５】本発明の実施形態によるプロセス下の複数のタービンシュラウドブロックおよび図３のタービンシュラウドブロック取り外し装置を含むタービンケーシングの一部分の斜視図を示している。
【図６】本発明の別の実施形態による複数のタービンシュラウドブロックおよびタービンシュラウドブロック取り外し装置の斜視図を示している。
【図７】本発明のさらなる実施形態による複数のタービンシュラウドブロックおよびタービンシュラウドブロック取り外し装置を含むタービンケーシングの一部分の斜視図を示している。
【発明を実施するための形態】
【００１２】
本発明の図面が、必ずしも比例尺ではないことに注意すべきである。図面は、本発明の典型的な態様のみを示すように意図されており、したがって本発明の技術的範囲を限定するものとして解釈されてはならない。図面において、図の間で、類似した番号は類似した構成要素を表している。
【００１３】
本明細書において説明されるとおり、本発明の態様は、広くには、タービンシステムに関する。より詳しくは、本明細書において説明されるとおり、本発明の態様は、タービンシュラウドブロック取り外し装置に関する。
【００１４】
図１に目を向けると、本発明の実施形態によるタービンシステムの概略図が示されている。図１に示されるとおりのタービンシステム１００は、従来からのガスタービンシステムであってよい。しかしながら、タービンシステム１００は、出力を生み出すように構成された任意の従来からのタービンシステム（例えば、蒸気タービンシステム）として構成されてよいと理解される。したがって、タービンシステム１００の簡単な説明を、分かりやすさの目的で提示する。図１に示されるとおり、タービンシステム１００は、圧縮機１０２と、圧縮機１０２に連通した燃焼器１０４と、燃焼器１０４に連通し、燃焼器１０４から燃焼生成物を受け取るタービン構成部品１０６とを備えることができる。さらに、タービン構成部品１０６は、シャフト１０８を介して圧縮機１０２に接続されてよい。さらに、シャフト１０８を、タービンシステム１００の稼働時に電気を生み出すための発電機１１０へと接続することができる。
【００１５】
図１に示されるとおりのタービンシステム１００の稼働時に、圧縮機１０２は、空気を取り込み、吸気を圧縮することができ、その後に、圧縮された吸気が燃焼器１０４へと移動する。ひとたび燃焼器１０４に位置すると、圧縮された空気を、燃焼物（例えば、燃料）と混合し、点火することができる。ひとたび添加されると、圧縮された空気−燃焼物の混合物は、タービン構成部品１０６を通って流れる高温の加圧された排気ガス（高温ガス）へと変換される。高温ガスは、タービン構成部品１０６を通って流れ、とくにはシャフト１０８へと接続された複数のバケット１１２（例えば、バケット段）を通過し、タービンシステム１００のバケット１１２およびシャフト１０８を回転させる。さらに、高温ガスは、タービン構成部品１０６のケーシング１１６へと接続された複数の固定子ノズル１１４（例えば、固定子ノズル段）を通過し、ここで固定子ノズル１１４の各段は、複数のバケット１１２の各々に対応し、複数のバケット１１２の各々の間に位置することができる。固定子ノズル１１４は、タービン構成部品１０６の複数のバケット１１２の各段およびシャフト１０８を連続的に通過し、したがって回転させるように、タービン構成部品１０６を通過する高温ガスの案内を補助することができる。タービンシステム１００のシャフト１０８が回転するとき、圧縮機１０２およびタービン構成部品１０６が駆動され、発電機１１０が電力（例えば、電流）を生み出すことができる。
【００１６】
図２に目を向けると、本発明の実施形態による図１のタービン構成部品１０６の一部分の断面図が示されている。図２に示されるとおり、タービン構成部品１０６は、ケーシング１１６へと接続され、ケーシング１１６の内面１２０を巡って周状に配置された複数のシュラウドブロック１１８をさらに備えることができる。すなわち、図２に示されるとおり、複数のシュラウドブロック１１８を、ケーシング１１６の内面１２０へと接続でき、バケット１１２の先端１２２に隣接して位置させることができる。さらに、複数のシュラウドブロック１１８は、やはりタービン構成部品１０６のケーシング１１６へと接続された固定子ノズル１１４の種々の段の間に位置してよい。本明細書において述べられるとおり、複数のシュラウドブロック１１８を、タービン構成部品１０６を通過して流れる高温ガスに外側境界をもたらすために、ケーシング１１６へと周状に接続し、ケーシング１１６の内側に位置させることができる。すなわち、複数のシュラウドブロック１１８を、高温ガスがタービン構成部品１０６を通って流れることができず、バケット１１２および／または固定子ノズル１１４の種々の段に接触することができない領域１２４へと、高温ガスが流れることを実質的に防止するように、ケーシング１１６の内側に配置することができる。タービン構成部品１０６の高温ガスが領域１２４へと流れる場合、高温ガスは、タービン構成部品１０６のバケット１１２の種々の段を駆動することができず、結果として効率および／またはタービンシステム１００（図１）において生み出される出力が低下する。
【００１７】
図２に示されるとおり、ケーシング１１６の内面１２０は、複数のシュラウドブロック１１８をタービン構成部品１０６のケーシング１１６へと接続するように構成された接続部品１２６を備えることができる。より具体的には、ケーシング１１６が、複数のシュラウドブロック１１８をケーシング１１６へと接続すべく複数のシュラウドブロック１１８の雌の開口１２８に係合するように構成された雄の接続部品１２６を備えることができる。図２に示されるとおり、接続部品１２６は、バケット１１２に実質的に一致して位置することができ、タービン構成部品１０６の固定子ノズル１１４の種々の段の間に位置することができる。接続部品１２６は、複数のシュラウドブロック１１８の各々を接続部品１２６へとスライド可能に係合または結合させ、その後にケーシング１１６を巡って周状に位置させることができるように、ケーシング１１６を巡って周状に位置する連続的な部品であってよい。雄の接続部品１２６として図示されているが、接続部品１２６および複数のシュラウドブロック１１８が、複数のシュラウドブロック１１８をケーシング１１６へと接続するための種々の代案の構成を備えることができることを、理解すべきである。例えば（図示せず）、複数のシュラウドブロック１１８が、雄の接続部分を備えることができ、ケーシング１１６の接続部品１２６が、複数のシュラウドブロック１１８をタービン構成部品１０６のケーシング１１６へと接続すべくシュラウドブロック１１８の雄の接続部を実質的に受け入れるように構成された雌の接続部を備えることができる。
【００１８】
図３に目を向けると、本発明の実施形態によるタービンシュラウドブロック取り外し装置２００（以下では、「取り外し装置２００」）の斜視図が示されている。本明細書において説明されるとおり、取り外し装置２００を、シュラウドブロック１１８またはタービンシステム１００の他の種々の構成部品（例えば、バケット１１２、固定子ノズル１１４）について保守を実行でき、ならびに／あるいは調整を行うことができるときに、ケーシング１１６からシュラウドブロック１１８を取り外すプロセス（図４および５）において利用することができる。図３に示されるとおり、取り外し装置２００は、第１のベース板２０２と、第１のベース板２０２に隣接して位置する第２のベース板２０４とを備えることができる。図３に示されるとおり、第１のベース板２０２は、第１のベース板２０２の本体部２０８から垂直に延びている第１のアーマチャ２０６を備えることができる。第１のベース板２０２の第１のアーマチャ２０６は、第１のアーマチャ２０６および第１のベース板２０２を実質的に貫いて形成された第１の貫通穴２１０を備えることができる。より具体的には、図３に示されるとおり、第１の貫通穴２１０を、第１のベース板２０２の第１のアーマチャ２０６および本体部２０８を完全に貫いて形成することができる。本明細書において説明されるとおり、第１の貫通穴２１０は、アクチュエータ２１２の第１のベース板２０２への結合を助けることができる。
【００１９】
第１のベース板２０２は、少なくとも１つの開口２１４をさらに備えることができる。より具体的には、図３に示されるとおり、第１のベース板２０２は、第１のベース板２０２の本体部２０８を貫いて形成された少なくとも１つの開口２１４を備えることができる。本明細書において説明されるとおり、第１のベース板２０２の少なくとも１つの開口２１４を、第１のベース板２０２をシュラウドブロック１１８（図４および５）へと着脱可能に接続するための着脱可能な固定具２１６（図４および５）と係合するように構成することができる。一実施形態において、図３に示されるように、第１のベース板２０２は、本体部２０８を貫いて形成された２つの別々の開口２１４を備えることができる。しかしながら、第１のベース板２０２が、第１のベース板２０２のシュラウドブロック１１８（図４および５）への着脱可能な接続の助けとなる任意の所望の数の開口２１４を備えてよいことを、理解すべきである。すなわち、本明細書において説明されるとおり、第１のベース板２０２の開口２１４の所望の数は、これらに限られるわけではないがシュラウドブロック１１８（図４および５）を貫いて延びる対応する穴の数、取り外しのプロセスにおいてシュラウドブロック１１８の各々へと加えられる力、シュラウドブロック１１８を取り外すためにアクチュエータ２１２によって加えられる力、など、種々の因子に依存することができる。
【００２０】
上述のように、第２のベース板２０４は、第１のベース板２０２と実質的に同様の特徴および／または構成要素を備えることができる。第１のベース板２０２と第２のベース板２０４との間で共有される類似性の結果として、分かりやすさのために、第２のベース板２０４の特徴および／または構成要素については、簡単な説明だけを提示する。図３に示されるとおり、第２のベース板２０４は、第２のベース板２０４の本体部２２０から垂直に延びている第２のアーマチャ２１８を備えることができる。第２のベース板２０４の第２のアーマチャ２１８は、本明細書において説明されるとおり、アクチュエータ２１２を第２のベース板２０４へと接続するために第２のベース板２０４の第２のアーマチャ２１８および本体部２２０を完全に貫いて形成された第２の貫通穴２２２を備えることができる。さらに、図３に示されるとおり、第２のベース板２０４は、第２のベース板２０４の本体部２２０を貫いて形成された少なくとも１つの開口２２４を備えることができ、ここで少なくとも１つの開口２２４を、第２のベース板２０４をシュラウドブロック１１８（図４および５）へと着脱可能に接続するための着脱可能な固定具２１６（図４および５）と係合するように構成することができる。
【００２１】
取り外し装置２００は、第１のベース板２０２および第２のベース板２０４に接続されたアクチュエータ２１２をさらに備えることができる。より具体的には、図３に示されるとおり、アクチュエータ２１２を、第１のベース板２０２の第１のアーマチャ２０６および第２のベース板２０４の第２のアーマチャ２１８へと接続することができる。本明細書において説明されるとおり、アクチュエータ２１２を、第１のベース板２０２および第２のベース板２０４へと接続されたシュラウドブロック１１８の間の距離を変化させるように構成することができる。図３に示されるとおり、アクチュエータ２１２は、アクチュエータ２１２を動作させるべく圧縮空気を受け入れるための空気入力弁２２５を有している従来からの空気圧式アクチュエータを含むことができる。しかしながら、アクチュエータ２１２が、第１のベース板２０２および第２のベース板２０４へと接続されたシュラウドブロック１１８を分離させることができる任意の従来からのアクチュエータ装置またはシステムを含んでよいことを、理解すべきである。より具体的には、アクチュエータ２１２は、これらに限られるわけではないが空気圧式アクチュエータ、電気式アクチュエータ、機械式アクチュエータ、または油圧式アクチュエータを含むことができる。
【００２２】
アクチュエータ２１２の第１の端部２２６を、第１のベース板２０２の第１のアーマチャ２０６へと接続することができる。より具体的には、第１の端部２２６が、第１のベース板２０２の第１のアーマチャ２０６の第１の貫通穴２１０と実質的に同心であってよい開口２２８を備えることができる。アクチュエータ２１２の第１の端部２２６の開口２２８および第１のベース板２０２の第１のアーマチャ２０６の第１の貫通穴２１０は、アクチュエータ２１２と第１のベース板２０２の第１のアーマチャ２０６とを接続するための第１のピン２３０に係合することができる。すなわち、第１のピン２３０は、第１のピン２３０がアクチュエータ２１２の開口２２８および第１のアーマチャ２０６の第１の貫通穴２１０に同心に位置してアクチュエータ２１２を第１のベース板２０２の第１のアーマチャ２０６へと接続できるように、第１のアーマチャ２０６の一部分を貫いて延びることができる。図３に示されるとおり、第１のピン２３０を、着脱容易（ｑｕｉｃｋ  ｒｅｌｅａｓｅ）な固定具２３２によって、第１のベース板２０２の第１のアーマチャ２０６およびアクチュエータ２１２の開口２２８に保持することができる。より具体的には、着脱容易な固定具２３２を、第１のベース板２０２の第１のアーマチャ２０６の固定具開口２３４を貫いて位置させることができ、さらに第１のピン２３０が第１のアーマチャ２０６から望まれずに取り除かれることが実質的にないように第１のピン２３０を少なくとも部分的に貫いて位置させることができる。第１のピン２３０が第１のアーマチャ２０６から望まれずに取り除かれることを実質的に防止することによって、着脱容易な固定具２３２は、アクチュエータ２１２の第１の端部２２６が第１のベース板２０２の第１のアーマチャ２０６から望まれずに切り離されることも防止することができる。
【００２３】
アクチュエータ２１２の第１の端部２２６に関して同様に上述したとおり、アクチュエータ２１２の第２の端部２３６を、第２のベース板２０４へと接続することができる。より具体的には、第２の端部２３６は、第２のベース板２０４の第２のアーマチャ２１８の第２の貫通穴２２２に同心に整列させることができる開口２３８を備えることができる。図３に示され、第１のピン２３０に関して同様に説明されたように、アクチュエータ２１２の第２の端部２３６を、第２のピン２４０を介して第２のベース板２０４へと接続することができる。すなわち、第２のピン２４０を、アクチュエータ２１２を第２のベース板２０４の第２のアーマチャ２１８へと接続するために、第２のアーマチャ２１８の第２の貫通穴２２２およびアクチュエータ２１２の第２の端部２３６の開口２３８を貫いて挿入することができる。さらに、第１のベース板２０２に関して本明細書において説明したように、第２のベース板２０４も、第２のアーマチャ２１８を貫いて延びる固定具開口２３４と、第２のピン２４０を第２のアーマチャ２１８内に保持するための着脱容易な固定具２３２とを備えることができる。すなわち、着脱容易な固定具２３２を、固定具開口２３４によって第２のアーマチャ２１８を貫いて延ばすことができ、第２のピン２４０が第２のアーマチャ２１８から望まれずに取り除かれ、したがって最終的にはアクチュエータ２１２が第２のベース板２０４から切り離されることを実質的に防止するために、第２のピン２４０を少なくとも部分的に貫いて延ばすことができる。図３に示されるとおり、着脱容易な固定具２３２の端部２４２を、第２のアーマチャ２１８の一部分を最後まで貫いて延ばすことができ、第１のベース板２０２と第２のベース板２０４との間に位置させることができる。
【００２４】
取り外し装置２００は、第１のベース板２０２または第２のベース板２０４の少なくとも一方に接続されたアイボルト２４４をさらに備えることができる。図３に示されるとおり、アイボルト２４４を、第１のベース板２０２に接続することができる。しかしながら、アイボルト２４４を第２のベース板２０４へと接続してもよく（図示せず）、あるいは第１のベース板２０２および第２のベース板２０４の両方に接続してもよいことを、理解すべきである。アイボルト２４４を、第１のベース板２０２の本体部２０８へと接続することができる。より具体的には、図３に示されるとおり、アイボルト２４４を、第１のベース板２０２の本体部２０８の端部２４６へと接続することができる。アイボルト２４４を、任意の従来からの接続技術（例えば、溶接、ろう付け、はんだ付け、など）および／または接続部品（ねじ、ナットとボルトとの集合、スナップ式、など）を使用して、第１のベース板２０２の端部２４６へと恒久的または取り外し可能に接続することができる。本明細書において説明されるとおり、アイボルト２４４を、シュラウドブロック１１８の取り外しのプロセスにおいて利用することができる。
【００２５】
図４および５に目を向けると、本発明の実施形態に従い、複数のタービンシュラウドブロック１１８ａ、１１８ｂ、１１８ｃと、シュラウドブロック１１８を取り外すプロセスのもとにある取り外し装置２００とを含むケーシング１１６の一部分が示されている。
【００２６】
図４および５に示されるとおり、取り外し装置２００を、本明細書において説明されるとおり、２つの別々のシュラウドブロック１１８ａ、１１８ｂを分離させ、次いで一方のシュラウドブロック（例えば、シュラウドブロック１１８ｂ）を取り除くために、２つの別々のシュラウドブロック１１８ａ、１１８ｂへと着脱可能に接続することができる。第１のベース板２０２を、第１のシュラウドブロック１１８ａへと接続でき、第２のベース板２０４を、第１のシュラウドブロック１１８ａに隣接して位置する第２のシュラウドブロック１１８ｂへと接続することができる。図４および５に示されるとおり、第１のシュラウドブロック１１８ａは、ケーシング１１６へと接続されてよく、第２のシュラウドブロック１１８ｂは、第１のシュラウドブロック１１８ａに隣接してケーシング１１６へと接続されてよい。第１のシュラウドブロック１１８ａおよび第２のシュラウドブロック１１８ｂは、図２に関して本明細書において説明されたやり方と同様なやり方でケーシング１１６の接続部品１２６へと接続されてよい。さらに、本明細書において説明されるとおり、ケーシング１１６は、ケーシング１１６へと接続された少なくとも１つの追加のシュラウドブロック１１８ｃを備えることができ、ここで少なくとも１つの追加のシュラウドブロック１１８ｃは、ケーシング１１６を巡って周状に配置される。図４および５に示されるとおり、追加のシュラウドブロック１１８ｃは、ケーシング１１６上の第１のシュラウドブロック１１８ａに隣接または実質的に接触して位置することができる。追加のシュラウドブロック１１８ｃは、第２のシュラウドブロック１１８ｂに対向して位置してもよく、第１のシュラウドブロック１１８ａによって第２のシュラウドブロック１１８ｂから離されてもよい。
【００２７】
複数のシュラウドブロック１１８ａ、１１８ｂ、１１８ｃは、複数のシュラウドブロック１１８ａ、１１８ｂ、１１８ｃの側面１３２を貫いて延びる少なくとも１つの穴１３０を備えることができる。図４および５に示されるとおり、追加のシュラウドブロック１１８ｃを参照すると、複数のシュラウドブロック１１８ａ、１１８ｂ、１１８ｃは、実質的に同一であってよく、複数のシュラウドブロック１１８ａ、１１８ｂ、１１８ｃの各々の側面１３２を貫いて延びる４つの穴１３０を各々が備えることができる。複数のシュラウドブロック１１８ａ、１１８ｂ、１１８ｃの各々の個々の側面１３２の各々は、互いに隣接して位置している。例えば、第１のシュラウドブロック１１８ａの側面１３２が、第２のシュラウドブロック１１８ｂの側面１３２に隣接して位置することができる。
【００２８】
着脱可能な固定具２１６が、取り外し装置２００を、ケーシング１１６へと接続された複数のシュラウドブロック１１８ａ、１１８ｂに接続することができる。図４および５に示されるとおり、着脱可能な固定具２１６は、第１のベース板２０２をシュラウドブロック１１８ａへと着脱可能に接続することができる。より具体的には、着脱可能な固定具２１６を、第１のベース板２０２の開口２１４の各々を貫いて位置させ、第１のシュラウドブロック１１８ａの穴１３０の中に位置させることができ、ここで第１のベース板２０２の各開口２１４は、第１のシュラウドブロック１１８ａのそれぞれの穴１３０に同心に整列することができる。第１のベース板２０２の開口２１４および／または第１のシュラウドブロック１１８ａの穴１３０は、第１のベース板２０２を第１のシュラウドブロック１１８ａへと着脱可能に接続するために着脱可能な固定具２１６と係合することができる。第２のベース板２０４を、第１のベース板２０２および第１のシュラウドブロック１１８ａと実質的に同様のやり方で、第２のシュラウドブロック１１８ｂへと接続することができる。すなわち、図４および５に示されるとおり、着脱可能な固定具２１６を、第２のベース板２０４の開口２２４の各々を貫いて位置させ、第２のシュラウドブロック１１８ｂの穴１３０の中に位置させることができ、ここで第２のベース板２０４の各開口２２４は、第２のシュラウドブロック１１８ｂのそれぞれの穴１３０に同心に整列することができる。第２のベース板２０４の開口２２４および／または第２のシュラウドブロック１１８ｂの穴１３０は、第２のベース板２０４を第２のシュラウドブロック１１８ｂへと着脱可能に接続するために着脱可能な固定具２１６と係合することができる。
【００２９】
図４および５に示されるとおり、取り外し装置２００が第１のシュラウドブロック１１８ａおよび第２のシュラウドブロック１１８ｂのそれぞれに接続されたとき、取り外し装置２００のアクチュエータ２１２を、第１のシュラウドブロック１１８ａの側面１３２および第２のシュラウドブロック１１８ｂの側面１３２に隣接させて配置することができる。すなわち、取り外し装置２００のアクチュエータ２１２を、第１のシュラウドブロック１１８ａおよび第２のシュラウドブロック１１８ｂの各々の側面１３２に実質的に隣接かつ平行に配置することができる。アクチュエータ２１２を、ケーシング１１６内のシュラウドブロック１１８ａ、１１８ｂ、１１８ｃの周囲の限られた空間の結果として、シュラウドブロック１１８ａ、１１８ｂの側面１３２に隣接させて配置することができる。例えば、シュラウドブロック（例えば、シュラウドブロック１１８ｂ）をケーシング１１６から取り外すための取り外し装置２００の利用において、ユーザ（例えば、タービン運転者）は、シュラウドブロック１１８を取り外すためにいかなる鈍力（例えば、ハンマーによる打撃）も必要とされないため、タービン構成部品１０６の周囲の構成部品（例えば、バケット１１２、固定子ノズル１１４）を傷める可能性を実質的に最小化および／または排除することができる。結果として、タービン構成部品１０６（図１）の周囲の構成部品を、シュラウドブロック１１８の取り外しの際に依然としてケーシング１１６内に位置させておくことができる。バケット１１２（図２）の先端１２２とタービンシュラウド１１８ａ、１１８ｂ、１１８ｃとの間に最小限のすき間しか存在しない場合、アクチュエータ２１２を、第１のシュラウドブロック１１８ａおよび第２のシュラウドブロック１１８ｂのそれぞれの側面１３２に隣接して位置させることができる。本明細書において説明されるとおり、アクチュエータ２１２を、別の構成にて配置することも可能である。
【００３０】
ひとたび取り外し装置２００が第１のシュラウドブロック１１８ａおよび第２のシュラウドブロック１１８ｂのそれぞれに着脱可能に接続されると、取り外し装置２００は、第２のシュラウドブロック１１８ｂの取り外しを助けることができる。より具体的には、取り外し装置２００を、第２のシュラウドブロック１１８ｂをケーシング１１６内の稼働位置から切り離すことができ、次いでユーザ（例えば、タービン運転者）によってケーシング１１６から取り出すことができるよう、第１のシュラウドブロック１１８ａと第２のシュラウドブロック１１８ｂとの間の距離（Ｄ）を変化させるために利用することができる。
【００３１】
図５に示されるとおり、取り外し装置２００を、図４に関して上述したやり方と同様のやり方で、第１のシュラウドブロック１１８ａおよび第２のシュラウドブロック１１８ｂへと着脱可能に接続することができる。さらに、図５に示されるとおり、取り外し装置２００のアクチュエータ２１２を、第１のシュラウドブロック１１８ａおよび第２のシュラウドブロック１１８ｂが距離（Ｄ）によって隔てられるように実質的に動作させることができる。第２のシュラウドブロック１１８ｂが第１のシュラウドブロック１１８ａに隣接および／または実質的に接触して位置していた図４と比べ、図５は、取り外し装置２００のアクチュエータ２１２の動作の結果として距離（Ｄ）だけ第１のシュラウドブロック１１８ａから離された第２のシュラウドブロック１１８ｂを示している。図５に示されるとおり、第２のシュラウドブロック１１８ｂを、アクチュエータ２１２の動作の結果として、ケーシング１１６上の稼働位置（例えば、図４）から移動させ、あるいは実質的に切り離すことができる。取り外し装置２００のアクチュエータ２１２の作動時に、第１のベース板２０２は、第１のシュラウドブロック１１８ａと第２のシュラウドブロック１１８ｂとの間の距離（Ｄ）が変わる際に実質的に不動のままであってよい。より具体的には、アクチュエータ２１２の作動時に、第２のベース板２０４および第２のシュラウドブロック１１８ｂだけが、ケーシング１１６を巡って周方向に移動することができ、第１のベース板２０２および第１のシュラウドブロック１１８ａは、実質的に不動のままであってよい。アクチュエータ２１２の作動および第２のシュラウドブロック１１８ｂの移動の際に、取り外し装置２００を、第１のベース板２０２を実質的に不動に保つうえで助けとなるように、追加のシュラウドブロック１１８ｃによって支持することができる。すなわち、第１のシュラウドブロック１１８ａと第２のシュラウドブロック１１８ｂとの間の距離（Ｄ）が変化する際に、追加のシュラウドブロック１１８ｃも、実質的に不動のままであってよく、第１のシュラウドブロック１１８ａおよび／または第１のベース板２０２に方向性のある支持をもたらすために第１のシュラウドブロック１１８ａに接触および／または実質的に隣接して位置したままであってよい。実質的に不動のままであり、第１のシュラウドブロック１１８ａおよび取り外し装置２００の第１のベース板２０２を支持する追加のシュラウドブロック１１８ｃの結果として、取り外し装置２００は、距離（Ｄ）を変化させ、最終的にユーザ（例えば、タービン運転者）による第２のシュラウドブロック１１８ｂのケーシング１１６からの取り外しを可能にするために、所望の力を第２のシュラウドブロック１１８ｂへと加えることができる。すなわち、ひとたび第２のシュラウドブロック１１８ｂがケーシング１１６内の稼働位置から切り離されると、ユーザ（例えば、タービン運転者）は、第２のベース板２０４を第２のシュラウドブロック１１８ｂから切り離すことができ、第２のシュラウドブロック１１８ｂをケーシング１１６に沿って周方向にスライドさせて、第２のシュラウドブロック１１８ｂをタービンシステム１００（図１）から取り外すことができる。ひとたび第２のシュラウドブロック１１８ｂがケーシング１１６から取り外されると、取り外し装置２００を、ケーシング１１６を巡って周状に位置する残りのシュラウドブロックのすべてを本明細書において説明されるやり方と同様のやり方で取り外すために、残りのシュラウドブロック（例えば、シュラウドブロック１１８ａ、１１８ｃ）へと着脱可能に接続することができる。
【００３２】
さらに、第１のシュラウドブロック１１８ａと第２のシュラウドブロック１１８ｂとの間の距離（Ｄ）を変化させる際に、第１のベース板２０２のアイボルト２４４が、第１のシュラウドブロック１１８ａにさらなる支持をもたらすことができる。すなわち、アイボルト２４４を、第１のシュラウドブロック１１８ａおよび第１のシュラウドブロック１１８ａに着脱可能に接続された第１のベース板２０２が、取り外し装置２００によって実行される取り外しまたは距離（Ｄ）の変更のプロセスの最中に実質的に不動のままであることを実質的に保証するために、アクチュエータ２１２による作動の反対方向の反力をもたらすために利用することができる。例えば、金属ひも（図示せず）を、アイボルト２４４に実質的に通すことができ、第１のシュラウドブロック１１８ａの移動をさらに防止するためにケーシング１１６の一部分および／または追加のシュラウドブロック１１８ｃへと接続することができる。さらなる例では、ユーザ（例えば、タービン運転者）が、第１のシュラウドブロック１１８ａが取り外し装置２００によって実行される取り外しまたは距離（Ｄ）の変更のプロセスの最中に実質的に不動のままであることができるように、アクチュエータ２１２による作動の反対方向にアイボルト２４４へと反力を加えることができる。
【００３３】
別の実施形態においては、図６に示されるように、第１のシュラウドブロック１１８ａおよび第２のシュラウドブロック１１８ｂが、中間のシュラウドブロック１１８ｄによって隔てられていてよい。図面において、類似の番号が付された構成部品は、実質的に同様のやり方で機能することができる実質的に同様の構成部品を表すことができることを、理解すべきである。これらの構成部品の重複する説明は、分かりやすくするために省略されている。図６に示されるとおり、本明細書において説明したように、第１のベース板２０２を、第１のシュラウドブロック１１８ａへと着脱可能に接続でき、第２のベース板２０４を、第２のシュラウドブロック１１８ｂへと着脱可能に接続することができる。しかしながら、第１のシュラウドブロック１１８ａおよび第２のシュラウドブロック１１８ｂが、中間のシュラウドブロック１１８ｄによって隔てられている。図４および５に関して同様に上述したように、アクチュエータ２１２は、第２のシュラウドブロック１１８ｂをケーシング１１６内の稼働位置から切り離し、あるいは配置し直すことができるように、第１のシュラウドブロック１１８ａと第２のシュラウドブロック１１８ｂとを隔てる距離（Ｄ）を変化させることができる。しかしながら、中間のシュラウドブロック１１８ｄが、アクチュエータ２１２の作動および第１のシュラウドブロック１１８ａと第２のシュラウドブロック１１８ｂとの間の距離（Ｄ）の変化の最中に、第１のシュラウドブロック１１８ａおよび追加のシュラウドブロック１１８ｃと一緒に実質的に不動のままであってもよいことを、理解すべきである。
【００３４】
図７に目を向けると、複数のタービンシュラウドブロック１１８ａ、１１８ｂ、１１８ｃ、およびタービンシュラウドブロック取り外し装置３００（以下では、「取り外し装置３００」）を含むタービンケーシング１１６の一部分の斜視図が、本発明の別の実施形態に従って示されている。類似の番号が付された構成部品（例えば、第１のシュラウドブロック１１８ａ、第２のシュラウドブロック１１８ｂ、第１のベース板２０２、第２のベース板２０４、アクチュエータ２１２、など）が、実質的に同様のやり方で機能することができる実質的に同様の構成部品を表すことができることを、理解すべきである。これらの構成部品の重複する説明は、分かりやすくするために省略されている。図７に示され、本明細書において説明されるとおり、取り外し装置３００を、シュラウドブロック（例えば、第２のシュラウドブロック１１８ｂ）をタービン構成部品１０６（図１）のケーシング１１６から取り外すために利用することができる。
【００３５】
取り外し装置３００の第１のベース板２０２は、第１のベース板２０２の本体部２０８に対して実質的に垂直に延びるＬ字部３０２を備えることができる。すなわち、図７に示されるとおり、取り外し装置３００の第１のベース板２０２は、本体部２０８に対して実質的に垂直に位置して第１のシュラウドブロック１１８ａの実質的に上方に位置するＬ字部３０２を備えることができる。Ｌ字部３０２を、第１のシュラウドブロック１１８ａの実質的に上方に位置させることができ、第１のシュラウドブロック１１８ａの上面１３４に実質的に係合または当接させることができる。取り外し装置３００の第１のベース板２０２が第１のシュラウドブロック１１８ａに着脱可能に接続されるとき、本体部２０８は、側面１３２に隣接して位置することができ、側面１３２に実質的に係合することができる。さらに、Ｌ字部３０２は、第１のシュラウドブロック１１８ａの上面１３４に実質的に係合して、第１のシュラウドブロック１１８ａの上面１３４の上方に位置することができる。図７に示されるとおり、第１のシュラウドブロック１１８ａの上面１３４は、側面１３２の上方に垂直に位置することができ、タービンシステム１００（図１）の動作の際に、タービン構成部品１０６（図１）のバケット１１２の先端１２２（図２）に実質的に隣接して位置することができる。
【００３６】
第２のベース板２０４は、第１のベース板２０２のＬ字部３０２と比べて実質的に同様のＬ字部３０４を備えることができる。すなわち、第２のベース板２０４は、第２のベース板２０４の本体部２２０に対して実質的に垂直に位置したＬ字部３０４を備えることができる。図７に示され、図７の第１のベース板２０２に関して同様に説明されるとおり、取り外し装置３００の第２のベース板２０４が第２のシュラウドブロック１１８ｂに着脱可能に接続されるとき、本体部２２０は、第２のシュラウドブロック１１８ｂの側面１３２に隣接して位置でき、第２のシュラウドブロック１１８ｂの側面１３２に実質的に係合することができる。さらに、第２のベース板２０４のＬ字部３０４は、第２のシュラウドブロック１１８ｂの上面１３４に実質的に係合して、第２のシュラウドブロック１１８ｂの上面１３４の上方に位置することができる。図７に示されるとおり、第２のシュラウドブロック１１８ｂの上面１３４は、側面１３２の上方に垂直に位置することができ、第１のシュラウドブロック１１８ａの上面１３４に実質的に隣接かつ周方向に整列して位置することができる。
【００３７】
図３との比較において、取り外し装置３００の第１のベース板２０２の第１のアーマチャ２０６は、本体部２０８の実質的に上方に位置することができ、Ｌ字部３０２に対して実質的に垂直に位置することができる。すなわち、図７に示されるとおり、第１のアーマチャ２０６は、Ｌ字部３０２に対して実質的に垂直に延びることができ、第１のシュラウドブロック１１８ａの上面１３４から実質的に遠ざかるように第１のシュラウドブロック１１８ａの上面１３４に対して垂直に延びることができる。図７に示され、図３に関して同様に説明されたとおり、第１のアーマチャ２０６は、第１のアーマチャ２０６を実質的に貫いて位置する第１の貫通穴２１０を備えることができる。しかしながら、取り外し装置３００の第１のアーマチャ２０６の第１の貫通穴２１０は、第１のシュラウドブロック１１８ａの実質的に上方に位置することができる。結果として、取り外し装置３００のアクチュエータ２１２を、第１のシュラウドブロック１１８ａの上方において取り外し装置３００の第１のアーマチャ２０６へと接続することができる。より具体的には、図７に示されるとおり、取り外し装置３００の第１のベース板２０２の第１のアーマチャ２０６の配置の結果として、アクチュエータ２１２を、第１のベース板２０２へと接続でき、第１のシュラウドブロック１１８ａの上面１３４に隣接して位置させることができる。本明細書において説明されるとおり、アクチュエータ２１２を、第１のピン２３０を第１のアーマチャ２０６の第１の貫通穴２１０およびアクチュエータ２１２の第１の端部２２６（図４および５）の開口２２８のそれぞれを貫いて位置させることによって、第１のベース板２０２の第１のアーマチャ２０６へと接続することができる。
【００３８】
図７に示されるとおり、かつ上述されたとおり、取り外し装置３００の第２のベース板２０４は、取り外し装置３００の第１のベース板２０２と実質的に同様の特徴および／または構成要素を備えることができる。取り外し装置３００の第１のベース板２０２と第２のベース板２０４との間で共有される類似性の結果として、分かりやすさのために、第２のベース板２０４の特徴および／または構成要素については、簡単な説明だけを提示する。すなわち、図７に示されるように、第２のベース板２０４は、第２のベース板２０４の本体部２２０に対して実質的に垂直に位置したＬ字部３０４を備えることができる。本明細書において同様に述べたとおり、第２のベース板２０４のＬ字部３０４は、第２のシュラウドブロック１１８ｂの実質的に上方に位置することができる、第２のシュラウドブロック１１８ｂの上面１３４に当接でき、および／または第２のシュラウドブロック１１８ｂの上面１３４へと接続されてよい。さらに、取り外し装置３００の第２のベース板２０４は、Ｌ字部３０４から垂直に延び、第２のシュラウドブロック１１８ｂの上面１３４の実質的に上方を延びる第２のアーマチャ２１８を備えることができる。取り外し装置３００の第１のベース板２０２に関して同様に説明したとおり、アクチュエータ２１２を、アクチュエータ２１２が第２のシュラウドブロック１１８ｂの実質的に上方に第２のシュラウドブロック１１８ｂの上面１３４に実質的に隣接して位置するように、第２のベース板２０４の第２のアーマチャ２１８へと接続することができる。すなわち、アクチュエータ２１２を、第２のピン２４０を第２のアーマチャ２１８の第２の貫通穴２２２およびアクチュエータ２１２の第２の端部２３６（図４および５）の開口２３８のそれぞれを貫いて位置させることによって、第２のベース板２０４の第２のアーマチャ２１８へと接続することができる。
【００３９】
本明細書において同様に説明されたとおり、取り外し装置３００は、取り外し装置３００の第１のベース板２０２または第２のベース板２０４の少なくとも一方に接続されたアイボルト２４４をさらに備えることができる。図７に示されるとおり、アイボルト２４４を、第１のベース板２０２に接続することができる。より具体的には、図７に示されるとおり、アイボルト２４４を、第１のベース板２０２のＬ字部３０２の端部３０６へと接続することができる。アイボルト２４４を、任意の従来からの接続技術（例えば、溶接、ろう付け、はんだ付け、など）および／または接続部品（ねじ、ナットとボルトとの集合、スナップ式、など）を使用して、第１のベース板２０２のＬ字部３０２の端部３０６へと恒久的または取り外し可能に接続することができる。取り外し装置３００の第１のベース板２０２に接続されるものとして示されているが、アイボルト２４４は、取り外し装置３００の第２のベース板２０４に接続されても（図示せず）、あるいは第１のベース板２０２および第２のベース板２０４の両方に接続されてもよいことを、理解すべきである。
【００４０】
本明細書に記載のとおりの取り外し装置２００、３００は、タービンシステム１００のケーシング１１６内のシュラウドブロック１１８の取り外しに大いに役立つことができる。より具体的には、取り外し装置２００、３００を、ユーザ（例えば、タービン運転者）が、ケーシング１１６を巡って周状に配置された複数のシュラウドブロック１１８の各々を取り外すために利用することができる。取り外し装置２００、３００の使用において、ユーザは、ブロックを取り外すために粗野な方法または工具（例えば、大ハンマー、バール）を必要とすることなく、複数のシュラウドブロック１１８の各々を取り外すことができる。これは、取り外しのプロセスの最中の複数のシュラウドブロック１１８および／または複数のシュラウドブロック１１８の周囲の種々の構成部品（例えば、バケット１１２、固定子ノズル１１４）の損傷の大幅な低減または防止をもたらすことができる。さらに、取り外し装置２００、３００は複数のシュラウドブロック１１８の各々に着脱可能に接続されるため、取り外し装置２００、３００のシュラウドブロック１１８への設置および取り外しが容易である。結果として、取り外し装置２００、３００を利用することによって、ユーザは、タービン構成部品１０６（図１）の複数のシュラウドブロック１１８の各々の取り外しに要する時間を大幅に減らすことができる。
【００４１】
本明細書において使用される用語は、あくまでも特定の実施形態を説明する目的のためのものにすぎず、本発明を限定しようとするものではない。本明細書において使用されるとき、単数形「１つの（ａ）」、「１つの（ａｎ）」、及び「前記（ｔｈｅ）」は、文脈からそのようでないことが明らかでない限り、複数形も含むように意図されている。更に、用語「を備える」および／または「を含む」が、本明細書において使用されるときに、そこで述べられている特徴、完全体、工程、動作、構成要素、および／またはコンポーネントの存在を指定しているが、１つ以上の他の特徴、完全体、工程、動作、構成要素、コンポーネント、および／またはこれらのグループの存在又は追加を排除するものではないことを、理解すべきである。
【００４２】
本明細書においては、本発明を最良の態様を含めて開示するとともに、あらゆる装置またはシステムの製作および使用ならびにあらゆる関連の方法の実行を含む本発明の実施を当業者にとって可能にするために、いくつかの実施例を使用している。本発明の特許可能な技術的範囲は、特許請求の範囲によって定められ、当業者にとって想到される他の実施例も含むことができる。そのような他の実施例は、それらが特許請求の範囲の文言から相違しない構造要素を有しており、あるいは特許請求の範囲の文言から実質的には相違しない同等の構造要素を含むならば、特許請求の範囲の技術的範囲に包含される。
【符号の説明】
【００４３】
１００  タービンシステム
１０２  圧縮機
１０４  燃焼器
１０６  タービン構成部品
１０８  シャフト
１１０  発電機
１１２  バケット
１１４  固定子ノズル
１１６  タービンケーシング
１１８  シュラウドブロック
１１８ａ  第１のシュラウドブロック、タービンシュラウド、タービンシュラウドブロック
１１８ｂ  第２のシュラウドブロック、タービンシュラウド、タービンシュラウドブロック
１１８ｃ  タービンシュラウドブロック、タービンシュラウド、シュラウドブロック
１１８ｄ  シュラウドブロック
１２０  内面
１２２  先端
１２４  領域
１２６  接続部品
１２８  開口
１３０  穴
１３２  側面
１３４  上面
２００  取り外し装置
２０２  第１のベース板
２０４  第２のベース板
２０６  第１のアーマチャ
２０８  本体部
２１０  第１の貫通穴
２１２  アクチュエータ
２１４  開口
２１６  固定具
２１８  第２のアーマチャ
２２０  本体部
２２２  第２の貫通穴
２２４  開口
２２５  空気入力弁
２２６  第１の端部
２２８  開口
２３０  第１のピン
２３２  固定具
２３４  固定具開口
２３６  第２の端部
２３８  開口
２４０  第２のピン
２４２  端部
２４４  アイボルト
２４６  端部
３００  取り外し装置
３０２  Ｌ字部
３０４  Ｌ字部
３０６  端部
Ｄ  距離
【図１】
2017500476.tif 000003
【図２】
2017500476.tif 000004
【図３】
2017500476.tif 000005
【図４】
2017500476.tif 000006
【図５】
2017500476.tif 000007
【図６】
2017500476.tif 000008
【図７】
2017500476.tif 000009
【国際調査報告】
2017500476.tif 000010
2017500476.tif 000011